(57)【要約】【課題】映像装置において、記録媒体の挿入直後に再生出力を可能にすることにある。【解決手段】ＶＨＳテープに記録された映像及び音声を再生すると共に、ハードティスク１０８にも映像を蓄積可能な映像装置において、他の映像装置で記録済又は再生専用の記録媒体の再生時に、前記ＶＨＳテープに記録された映像及び音声データの冒頭部分を前記ハードディスク１０８に記録すると共に、前記ＶＨＳテープ１０８の再生開始時を基準にした切換時刻ｔ１を、前記ＶＨＳテープを特定する情報と対応付けて記録する。次回からの再生時には、前記ＶＨＳテープを特定する情報に基づいて特定されたＶＨＳテープの冒頭部分を前記ハードディスク１０８から読み出し、前記ＶＨＳテープの読取位置が前記切換時刻ｔ１に到達した場合に、前記ハードディスク１０８の再生から前記ＶＨＳテープの再生に切り換えることを特徴とする。【選択図】      図６
2004282562.tif 000002
【特許請求の範囲】
【請求項１】
ＶＨＳテープに記録された映像及び音声を再生すると共に、ハードティスクにも映像を蓄積可能な映像装置において、
他の映像装置で記録済又は再生専用の記録媒体の再生時に、前記ＶＨＳテープに記録された映像及び音声データの冒頭部分を前記ハードディスクに記録すると共に、前記ＶＨＳテープの再生開始時を基準にした切換時刻を、前記ＶＨＳテープを特定する情報と対応付けて記録し、
次回からの再生時には、前記ＶＨＳテープを特定する情報に基づいて特定されたＶＨＳテープの冒頭部分を前記ハードディスクから読み出し、前記ＶＨＳテープの読取位置が前記切換時刻に到達した場合に、前記ハードディスクの再生から前記ＶＨＳテープの再生に切り換えることを特徴とする映像装置。
【請求項２】
ＤＶＤに記録された映像及び音声を再生すると共に、ハードティスクにも映像を蓄積可能な映像装置において、
再生専用の記録媒体の再生時に、前記ＤＶＤに記録された本編の冒頭部分を前記ハードディスクに記録すると共に、前記ＤＶＤの再生開始時を基準にした切換時刻を、前記ＤＶＤを特定する情報と対応付けて記録し、
次回からの再生時には、前記ＤＶＤを特定する情報に基づいて特定されたＤＶＤの本編の冒頭部分を前記ハードディスクから読み出し、前記ＤＶＤの読取位置が前記切換時刻に到達した場合に、前記ハードディスクの再生から前記ＤＶＤの再生に切り換えることを特徴とする映像装置。
【請求項３】
着脱可能な記録媒体に記録された映像及び音声を再生すると共に、ハードティスクにも映像を蓄積可能な映像装置において、
前記記録媒体に記録された又は記録する映像及び音声データの冒頭部分を前記ハードティスクにも記録する第１記録手段と、
前記記録媒体を特定する情報をユーザから受け付ける受付手段と、
前記記録媒体を特定する情報により特定された記録媒体の冒頭部分を前記ハードティスクから再生する第１再生手段と、
前記第１再生手段による再生に連続する部分を前記記録媒体から再生する第２再生手段と、
前記第１再生手段による再生から前記第２再生手段による再生に切り換える再生切換手段と、を備える映像装置。
【請求項４】
前記記録媒体に映像及び音声データを記録する第２記録手段と、
前記再生切換手段による切換のタイミングを示す切換指標を前記記録媒体に記録する切換指標記録手段とをさらに備えており、
前記記録媒体への記録時に、前記第１記録手段は、前記記録媒体に記録する前記冒頭部分を前記ハードディスクに記録すると共に、前記記録媒体に記録された又は記録するインデックスを前記冒頭部分と対応付けて記録し、
前記記録媒体の再生時に、前記再生切換手段は、前記記録媒体の読出位置が前記切換指標に到達した場合に、前記第１再生手段による再生から前記第２再生手段による再生に切り換える、請求項３に記載の映像装置。
【請求項５】
前記記録媒体は他の映像装置により記録済又は再生専用であり、
前記記録媒体を最初から再生する第３再生手段をさらに備え、
前記第３再生手段による前記記録媒体の再生時に、前記第１記録手段は、前記記録媒体に記録された前記冒頭部分を前記ハードディスクに記録すると共に、前記記録媒体の再生開始時を基準にした切換時刻を、前記記録媒体を特定する情報と対応付けて記録し、
前記記録媒体の次回からの再生時には、前記第１再生手段による前記ハードディスクの再生を行い、前記記録媒体の読取位置が前記切換時刻に到達した場合に、前記再生切換手段は、前記第１再生手段による再生から前記第２再生手段による再生に切り換える、請求項３に記載の映像装置。
【請求項６】
前記記録媒体はＶＨＳテープである、請求項３から５のいずれかに記載の映像装置。
【請求項７】
前記記録媒体はＤＶＤ、ＣＤなどの光ディスクである、請求項３から５のいずれかに記載の映像装置。
【発明の詳細な説明】
【０００１】
【発明の属する技術分野】
本発明は、映像装置、特に、着脱可能な記録媒体（ＶＨＳテープ、ＤＶＤなど）に記録された映像及び音声を再生すると共に、ハードティスクにも映像を蓄積可能な映像装置に関する。
【０００２】
【従来の技術】
従来、音声の再生指示から音声を出力するまでの待ち時間を低減する装置として、ＭＤ（ミニディスク）のＴＯＣデータを読み出して内部メモリに保存すると共に、全楽曲データの冒頭３秒間分を読み出してＤＲＡＭに格納し、システムを再生指示に対する待機状態にするものがある（例えば、特開平７−２１０９８８号公報）。このＭＤプレーヤでは、再生楽曲の指定の際には、光ピックアップが指定楽曲の記録部分をシークするまでＤＲＡＭから指定楽曲データを再生し、その後連続してＭＤから楽曲データを再生することにより、再生指示から直ちに再生音を出力させることができる。
【０００３】
また、デジタルデータの再生指示から音声を出力するまでの待ち時間を低減する装置として、デジタルデータが記録された磁気テープを停止した際に、停止位置の前後のデジタルデータを第１のメモリ回路に記録しておき、次に再生が行われた際には第１のメモリ回路からデジタルデータを読み出して音声を再生すると共に、磁気テープが定速再生モードに以降した後、新たに読み出したデジタルデータの第１のメモリ回路への書き込みを開始し、停止時に書き込まれたデジタルデータの再生に引き続いて新たに書き込まれたデジタルデータの再生を行うものがある（例えば、特開平２−１３０７６３号公報）。このディジタル信号再生装置によれば、実質的な音声立ち上がり時間を無視出来る程度に短縮することが可能になる。
【０００４】
【特許文献１】
特開平７−２１０９８８号公報（第６−８頁、第４−６図）
【０００５】
【特許文献２】
特開平２−１３０７６３号公報（第２−３頁、第１図）
【０００６】
【発明が解決しようとする課題】
特許文献１に記載されたＭＤプレーヤでは、サーボ回路でＭＤを回転させると共に光ピックアップのフォーカス調整を行った後に全楽曲データの冒頭部分をＤＲＡＭに記録しておく必要があり、サーボ回路やフォーカス調整などの機械的な駆動の立ち上がり時間を短縮するものではない。即ち、ＭＤを装填した後、直ぐに再生指示を行うことができず、機械的な駆動の立ち上がりを待って初めて再生指示を受け付け可能な状態となるので、ＭＤ装填時には機械的な駆動の立ち上がり時間だけ音声再生の待ち時間が実質的に発生する。
【０００７】
また、容量の大きくないＤＲＡＭに記録されたデータを使用するため、データサイズの大きい映像データを保存することは困難であり、映像及び音声データが記録された記録媒体の再生の待ち時間を低減する目的には向かない。また、ＤＲＡＭの容量は大きくないので、複数の記録媒体の冒頭データを記録することも困難であり、新しい記録媒体を装填する度に古い記録媒体の冒頭データを消去する必要がある。また、ＤＲＡＭは電源を落とした場合には記録内容が失われるため、ＭＤを装填するたびにＤＲＡＭに冒頭データを記録する必要がある。
特許文献２に記載されたデジタルデータ再生装置では、再生停止時の度に磁気テープの前後のデジタルデータを第１のメモリ回路に読み込む必要があり、再生停止直後に再生命令を行うことができない。従って、この再生装置でも、磁気テープの前後のデジタルデータを読み込む待ち時間が生じる。また、磁気テープを再生装置に装填した場合にも、冒頭部分のデジタルデータをまず読み込む必要があり、装填後直ぐに音声の再生をすることができない。
【０００８】
また、停止位置の前後の音声データの保存を目的としているため、第１のメモリ回路には５ブロック（５秒分）の音声データしか保存することができず、データサイズの大きい映像データを保存することは困難である。また、再生が開始されると、第１のメモリ回路のデジタルデータは順次更新されるため、複数の記録媒体のデータを保持しておくことができない。また、電源を落とした場合には記録内容が失われてしまう。
【０００９】
本発明の目的は、映像装置において、記録媒体の挿入直後に再生出力を可能にすることにある。
【００１０】
【課題を解決するための手段】
第１発明に係る映像装置は、ＶＨＳテープに記録された映像及び音声を再生すると共に、ハードティスクにも映像を蓄積可能な映像装置において、以下の特徴を有する。他の映像装置で記録済又は再生専用の記録媒体の再生時に、前記ＶＨＳテープに記録された映像及び音声データの冒頭部分を前記ハードディスクに記録すると共に、前記ＶＨＳテープの再生開始時を基準にした切換時刻を、前記ＶＨＳテープを特定する情報と対応付けて記録する。次回からの再生時には、前記ＶＨＳテープを特定する情報に基づいて特定されたＶＨＳテープの冒頭部分を前記ハードディスクから読み出し、前記ＶＨＳテープの読取位置が前記切換時刻に到達した場合に、前記ハードディスクの再生から前記ＶＨＳテープの再生に切り換える。
【００１１】
この映像装置では、ＶＨＳテープの再生時に、冒頭部分をハードディスクにも記録すると共に、ＶＨＳテープを特定する情報と対応づけて切換時刻を例えば不揮発性のメモリに記録しておく。次回からの再生時には、ユーザがＶＨＳテープを特定してＶＨＳテープを挿入すると、そのＶＨＳテープに対応する冒頭部分をハードディスクから読み出して再生し、その後、ＶＨＳテープの読取位置が、そのＶＨＳテープの切換時刻に到達すると、ＶＨＳテープからの再生に切り換える。
【００１２】
この映像装置では、レンタルなどの再生専用のＶＨＳテープを再生する場合に、ＶＨＳの挿入から読取可能な状態になるまでの間もハードディスクから映像及び音声を再生することができ、ＶＨＳテープの挿入直後から再生出力が可能になる。
【００１３】
第２発明に係る映像装置は、ＤＶＤに記録された映像及び音声を再生すると共に、ハードティスクにも映像を蓄積可能な映像装置において、以下の特徴を有する。再生専用の記録媒体の再生時に、前記ＤＶＤに記録された本編の冒頭部分を前記ハードディスクに記録すると共に、前記ＤＶＤの再生開始時を基準にした切換時刻を、前記ＤＶＤを特定する情報と対応付けて記録する。次回からの再生時には、前記ＤＶＤを特定する情報に基づいて特定されたＤＶＤの本編の冒頭部分を前記ハードディスクから読み出し、前記ＤＶＤの読取位置が前記切換時刻に到達した場合に、前記ハードディスクの再生から前記ＤＶＤの再生に切り換える。
【００１４】
この映像装置では、再生専用ＤＶＤの再生時に、冒頭部分をハードディスクにも記録すると共に、ＶＨＳテープを特定する情報と対応づけて切換時刻を例えば不揮発性のメモリに記録しておく。次回からの再生時には、ユーザがＶＨＳテープを特定してＶＨＳテープを挿入すると、そのＶＨＳテープに対応する冒頭部分をハードディスクから読み出して再生し、その後、ＶＨＳテープの読取位置が、そのＶＨＳテープの切換時刻に到達すると、ＶＨＳテープからの再生に切り換える。
【００１５】
この映像装置では、レンタルなどの再生専用のＶＨＳテープを再生する場合に、ＶＨＳの挿入から読取可能な状態になるまでの間もハードディスクから映像及び音声を再生することができ、ＶＨＳテープの挿入直後から再生出力が可能になる。
【００１６】
第３発明に係る映像装置は、着脱可能な記録媒体に記録された映像及び音声を再生すると共に、ハードティスクにも映像を蓄積可能な映像装置において、前記記録媒体に記録された又は記録する映像及び音声データの冒頭部分を前記ハードティスクにも記録する第１記録手段と；前記記録媒体を特定する情報をユーザから受け付ける受付手段と；前記記録媒体を特定する情報により特定された記録媒体の冒頭部分を前記ハードティスクから再生する第１再生手段と；前記第１再生手段による再生に連続する部分を前記記録媒体から再生する第２再生手段と；前記第１再生手段による再生から前記第２再生手段による再生に切り換える再生切換手段とを備えている。
【００１７】
ここで、記録媒体は、例えば、ＶＨＳテープ、ＤＶＤ、ＣＤである。冒頭部分のデータ長は、記録媒体の挿入から読取可能な状態までの時間以上のデータ長とする。記録媒体を特定する情報は、録画時刻、タイトル等を含むインデックスである。インデックスは、他の映像装置で録画済又は再生専用の記録媒体の場合にはデータの最初に記録されており、この映像装置で記録媒体に録画する場合には録画の際に記録媒体のデータの最初に記録される。
【００１８】
この映像装置では、映像及び音声を記録媒体に記録する際に冒頭部分をハードディスクにも記録しておく。再生時には、ユーザが記録媒体を特定して記録媒体を挿入すると、特定された記録媒体に対応する冒頭部分をハードディスクから読み出して再生し、その後記録媒体からの再生に切り換える。また、他の映像装置で既に録画済又は再生専用の記録媒体の場合には、再生の際に冒頭部分をハードディスクにも記録しておく。次回からの再生時には、ユーザが記録媒体を特定して記録媒体を挿入すると、特定された記録媒体に対応する冒頭部分をハードディスクから読み出して再生し、その後記録媒体からの再生に切り換える。
【００１９】
このようにすれば、記録媒体の挿入から読取可能な状態になるまでの間もハードディスクから映像及び音声を再生することができ、記録媒体の挿入直後から再生出力が可能になる。
【００２０】
再生の切換は、ハードディスクからの冒頭部分の再生が終了してからその後のデータを記録媒体から再生する様に切り換えても良いし、記録媒体が読取可能な状態になって冒頭部分の途中から、記録媒体の再生に切り換えても良い。
【００２１】
第４発明に係る映像装置は、第３発明に係る映像装置において、前記記録媒体に映像及び音声データを記録する第２記録手段と；前記再生切換手段による切換のタイミングを示す切換指標を前記記録媒体に記録する切換指標記録手段とをさらに備えている。前記記録媒体への記録時に、前記第１記録手段は、前記記録媒体に記録する前記冒頭部分を前記ハードディスクに記録すると共に、前記記録媒体に記録された又は記録するインデックスを前記冒頭部分と対応付けて記録する。前記記録媒体の再生時に、前記再生切換手段は、前記記録媒体の読出位置が前記切換指標に到達した場合に、前記第１再生手段による再生から前記第２再生手段による再生に切り換える。
【００２２】
この映像装置では、記録媒体への記録時に、記録媒体に切換指標を記録すると共に、冒頭部分をハードディスクにも記録する。再生時には、ユーザが記録媒体を特定して記録媒体を挿入すると、特定された記録媒体に対応する冒頭部分をハードディスクから読み出して再生し、その後記録媒体の読取位置が切換指標に到達すると、記録媒体からの再生に切り換える。
【００２３】
この映像装置では、記録媒体に録画しその後再生する場合に、記録媒体の挿入から読取可能な状態になるまでの間もハードディスクから映像及び音声を再生することができ、記録媒体の挿入直後から再生出力が可能になる。
【００２４】
第５発明に係る映像装置は、第３発明に係る映像装置において、前記記録媒体は他の映像装置により記録済又は再生専用であり、前記記録媒体を最初から再生する第３再生手段をさらに備えている。前記第３再生手段による前記記録媒体の再生時に、前記第１記録手段は、前記記録媒体に記録された前記冒頭部分を前記ハードディスクに記録すると共に、前記記録媒体の再生開始時を基準にした切換時刻を前記記録媒体を特定する情報と対応付けて記録する。前記記録媒体の次回からの再生時には、前記第１再生手段による前記ハードディスクの再生を行い、前記記録媒体の読取位置が前記切換時刻に到達した場合に、前記再生切換手段は、前記第１再生手段による再生から前記第２手段による再生に切り換える。
【００２５】
この映像装置では、記録媒体の再生時に、冒頭部分をハードディスクにも記録すると共に、記録媒体を特定する情報と対応づけて切換時刻を例えば不揮発性のメモリに記録しておく。次回からの再生時には、ユーザが記録媒体を特定して記録媒体を挿入すると、特定された記録媒体に対応する冒頭部分をハードディスクから読み出して再生し、その後、記録媒体の読取位置が、その記録媒体の切換時刻に到達すると、記録媒体からの再生に切り換える。
【００２６】
この映像装置では、他の映像装置により記録済又は再生専用の記録媒体を再生する場合に、記録媒体の挿入から読取可能な状態になるまでの間もハードディスクから映像及び音声を再生することができ、記録媒体の挿入直後から再生出力が可能になる。
【００２７】
第６発明に係る映像装置は、第３から５発明のいずれかに係る映像装置において、前記記録媒体はＶＨＳテープである。この場合、ＶＨＳ録画再生機、ＶＨＳ再生専用機において、記録媒体の挿入直後から再生出力が可能になる。
【００２８】
第７発明に係る映像装置は、第３から５発明に係る映像装置において、前記記録媒体はＤＶＤ、ＣＤなどの光ディスクである。この場合、ＤＶＤ、ＣＤなどの光ディスク録画再生機、光ディスク再生専用機において、記録媒体の挿入直後から再生出力が可能になる。
【００２９】
【発明の実施の形態】
（１）第１実施形態
（１−２）構成
図１は、本発明に係る映像装置のブロック図である。この映像装置は、ハードディスク１０８を備えるコンボタイプの記録媒体の録画再生機である。記録媒体は、例えば、ＶＨＳテープ、ＤＶＤ、ＣＤ、ＬＤである。
【００３０】
駆動部１０１は、記録媒体が挿入されると記録媒体を読取位置まで搬送し、読取可能な状態に配置する。また駆動部１０１は、取り出し指示があると記録媒体を排出する。信号読取書込部１０２は、記録媒体に記録された映像及び音声データを読み取り、信号処理回路１０３に出力する。また信号読取書込部１０２は、信号処理回路１０３から受信した映像及び音声信号を記録媒体に書き込む。信号処理回路１０３は、映像及び音声信号に所定の処理を施し、テレビやモニタなどの表示装置に出力する。また信号処理回路１０３は、チューナやテレビなどから映像及び音声信号を受け取り、所定の処理を施して信号読取書込部１０２に出力する。
【００３１】
システムコントローラ（ＳＣＵ）１０４は、信号処理回路１０３に読取及び書込指令を出す。またシステムコントローラ１０４は、記録媒体への映像及び音声データの記録時に、録画時刻、タイトル等を含むインデックスを含む映像及び音声データをハードディスク１０８にも記録する。このときシステムコントローラ１０４は、録画時刻、タイトル等を含むインデックスをメモリ１０７にも記録する。
【００３２】
操作部１０５は、フロントパネル等に配置される操作ボタン、表示パネルを含み、操作ボタンからの指示をシステムコントローラ１０４に出力すると共に、システムコントローラ１０４からの信号に基づいて表示パネルに、例えば現在年月日、時刻を表示する。受信部１０６は、リモコンからの赤外線による指示を受信し、システムコントローラ１０４に出力する。メモリ１０７は、ＥＥＰＲＯＭ、フラッシュメモリ等の不揮発性のメモリであり、録画時刻、タイトル等を含むインデックスを記憶する。
【００３３】
再生切換手段１１０は、信号処理回路１０３からの再生出力とハードディスク１０８からの再生出力とを切り換える。
【００３４】
（１−２）ハードディスクへの録画
図２は、ハードディスクへの録画の第１例を説明する模式図である。ユーザが操作部１０５又はリモコンにより冒頭部分のハードディスク１０８への記録を指示して記録媒体への録画を開始すると、録画時刻、タイトル等を含むインデックスＩＮＤ及び録画内容を記録媒体に記録すると共に、切換指標を録画内容に挿入して記録する。また、記録媒体への録画と同時に、インデックスＩＮＤと録画内容の冒頭部分のデータとをハードディスク１０８にも録画する。また、インデックスＩＮＤをメモリ７に記録する。冒頭部分のデータの長さは、記録媒体の挿入から読取可能な状態になるまでの時間（立ち上がり時間）以上の再生時間に相当するデータ長とする。切換指標は、録画開始時点ＳＴＡＲＴから立ち上がり時間経過後の位置に記録する。ここでは、切換指標は、冒頭部分のデータが終了する時刻ｔ１の位置に記録される。
【００３５】
図３は、ハードディスクの録画の第２例を説明する模式図である。ユーザが操作部１０５又はリモコンにより冒頭部分のハードディスク１０８への記録を指示して記録媒体への録画を開始すると、録画時刻、タイトル等を含むインデックスＩＮＤ及び録画内容を記録媒体に記録すると共に、切換指標を録画内容に挿入して記録する。また、記録媒体への録画と同時に、インデックスＩＮＤと録画内容の冒頭部分のデータとをハードディスク１０８にも録画する。また、インデックスＩＮＤをメモリ７に記録する。冒頭部分のデータの長さは、記録媒体の挿入から読取可能な状態になるまでの時間（立ち上がり時間）以上の再生時間に相当するデータ長とする。
【００３６】
切換指標は、録画開始時点ＳＴＡＲＴから立ち上がり時間経過後の位置に記録する。第２例では、切換指標は、録画開始時点ＳＴＡＲＴから立ち上がり時間経過後の時刻以降でありかつ冒頭部分の終了時点ＥＮＤ（時刻ｔ１）よりも早い時刻ｔ２の位置に記録する。
【００３７】
（１−３）ハードディスクからの再生
図４は、図２の場合に対応するハードディスクからの再生を説明する模式図である。ユーザが操作部１０５及びリモコンによる操作によって、メモリ７に記録されているインデックスＩＮＤを表示させ、再生すべき記録媒体を選択して再生を指示し、記録媒体を挿入する。システムコントローラ１０４は、選択されたインデックスＩＮＤに基づいて、ハードディスク１０８において、選択されたインデックスＩＮＤに対応する冒頭部分のデータを特定する。時刻ｔ０において記録媒体が挿入されると、ハードディスク１０８から選択されたインデックスＩＮＤの冒頭部分のデータを読み出し、テレビやモニタ等の表示装置に再生出力する。ハードディスク１０８からの再生と共に、記録媒体が読取可能な状態にされ、信号読取部１０２による映像及び音声信号の読み取りが開始される。システムコントローラ１０４は、記録媒体から読み出した映像及び音声データが切換指標の位置に到達したか否かを判別する。時刻ｔ１において、システムコントローラ１０４は、記録媒体から読み出した映像及び音声データが切換指標に到達したと判別すると、切換手段１１０を切り換え、ハードディスク１０８の再生出力から記録媒体の再生出力に切り換える。
【００３８】
図５は、図３の場合に対応するハードディスクからの再生を説明する模式図である。この場合は、ハードディスク１０８に記録された冒頭部分の再生を終了する前の時刻ｔ２に対応する位置の切換指標により、ハードディスク１０８の冒頭部分の再生の途中で、ハードディスク１０８の再生出力から記録媒体の再生出力に切り換える。
【００３９】
（１−４）まとめ
この映像装置では、記録媒体に録画しその後再生する場合に、記録媒体の挿入から読取可能な状態になるまでの間もハードディスク１０８から映像及び音声を再生することができ、記録媒体の挿入直後から再生出力が可能になる。
【００４０】
また記録媒体への録画時に切換指標を挿入するので、切換指標を用いて再生出力の切換を確実に行うことができる。
【００４１】
またインデックスＩＮＤも録画内容とともにハードディスク１０８に記録しておくので、記録媒体挿入前にも、インデックスＩＮＤに基づいて、再生すべき記録媒体の冒頭部分を特定できる。これにより、記録媒体の挿入と同時に再生出力をすることができる。
（２）第２実施形態
（２−１）構成
第２実施形態に係る映像装置は、第１実施形態に係る映像装置と同様の構成を備える。なお、本実施形態に係る映像装置は、録画機能を有さず、再生のみ可能な再生専用機であっても良い。本実施形態に係る映像装置では、他の映像装置で録画済み又はレンタルなどの再生専用の記録媒体を再生する。
【００４２】
（２−２）ハードディスクへの録画
図６は、ハードディスクへの録画の第１例を説明する模式図である。操作部５又はリモコンによって冒頭部分のハードディスク１０８への録画を指示して、記録媒体の再生を開始すると、録画内容を再生出力すると共に、録画時刻、タイトル等を含むインデックスＩＮＤと録画内容の冒頭部分のデータとをハードディスク１０８に録画する。また、インデックスＩＮＤと、切換時刻ｔ１とをメモリ７に記録する。切換時刻ｔ１は、再生開始時ＳＴＡＲＴを基準にした冒頭部分の終了時ＥＮＤの時刻である。冒頭部分のデータの長さは、記録媒体の挿入から読取可能な状態になるまでの時間（立ち上がり時間）以上の再生時間に相当するデータ長とする。
【００４３】
図７は、ハードディスクへの録画の第２例を説明する模式図である。第１例の場合と同様に、操作部５又はリモコンによって冒頭部分のハードディスク１０８への録画を指示して、記録媒体の再生を開始すると、録画内容を再生出力すると共に、録画時刻、タイトル等を含むインデックスＩＮＤと録画内容の冒頭部分のデータとをハードディスク１０８に録画する。また、インデックスＩＮＤと、切換時刻ｔ２とをメモリ７に記録する。切換時刻ｔ２は、再生開始時ＳＴＡＲＴを基準にして立ち上がり時間経過後であり、ｔ１よりも早い時間である。
【００４４】
（２−３）ハードディスクからの再生
図８は、図６の場合に対応するハードディスクからの再生を説明する模式図である。操作部１０５及びリモコンによる操作によって、メモリ７に記録されているインデックスＩＮＤを表示させ、再生する記録媒体を特定して再生を指示し、記録媒体を挿入する。システムコントローラ１０４は、選択されたインデックスＩＮＤに基づいて、ハードディスク１０８において、選択されたインデックスＩＮＤに対応する冒頭部分のデータを特定する。時刻ｔ０において記録媒体が挿入されると、ハードディスク１０８から選択されたインデックスＩＮＤの冒頭部分のデータを読み出し、テレビやモニタ等の表示装置に再生出力する。ハードディスク１０８からの再生と共に、記録媒体が読取可能な状態にされ、信号読取部１０２による映像及び音声信号の読み取りが開始される。システムコントローラ１０４は、記録媒体から読み出した映像及び音声データが切換時刻ｔ１の位置に到達したか否かを判別する。時刻ｔ１において、システムコントローラ１０４は、記録媒体から読み出した映像及び音声データが切換時刻ｔ１の位置に到達したと判別すると、切換手段１１０を切り換え、ハードディスク１０８の再生出力から記録媒体の再生出力に切り換える。
【００４５】
図９は、図７の場合に対応するハードディスクからの再生を説明する模式図である。この場合は、ハードディスク１０８に記録された冒頭部分の再生を終了する前の切換時刻ｔ２において、ハードディスク１０８の冒頭部分の再生の途中で、ハードディスク１０８の再生出力から記録媒体の再生出力に切り換える。
【００４６】
（２−４）まとめ
この映像装置では、他の映像装置により記録済又は再生専用の記録媒体を再生する場合に、記録媒体の挿入から読取可能な状態になるまでの間もハードディスク１０８から映像及び音声を再生することができ、記録媒体の挿入直後から再生出力が可能になる。
【００４７】
また、他の映像装置により記録済又は再生専用の記録媒体を再生する場合には、記録媒体に切換指標を挿入することはできないが、切換時刻ｔ１又はｔ２をメモリ７に記録しておくことによって、ハードディススク１０８の再生から記録媒体の再生に切り換えることができる。
【００４８】
またインデックスＩＮＤも録画内容とともにハードディスク１０８に記録しておくので、記録媒体挿入前にも、インデックスＩＮＤに基づいて、再生すべき記録媒体の冒頭部分を特定できる。
（３）第３実施形態例
上記実施形態では、ハードディスク１０８に録画する冒頭部分のデータ長は記録媒体の挿入から読取可能状態までの時間以上の時間に対応する長さとしたが、レンタルのＶＨＳテープ、ＤＶＤのように録画内容の最初の部分に広告部分が含まれる場合には、広告部分を除いた本編部分の最初の部分を冒頭部分のデータとしてハードディスク１０８に録画するようにしても良い。
【００４９】
この場合、記録媒体を特定してハードディスク１０８からの冒頭部分の再生を指示すると、記録媒体の挿入されると広告部分は再生出力されず、直ちに本編部分を再生し、その後ハードディスク１０８からの本編部分の再生から記録媒体からの再生に切り換える。
【００５０】
この映像装置によれば、記録媒体を挿入すると直ちに広告部分を除いた本編部分を再生することができる。
【００５１】
【発明の効果】
本発明の目的は、映像装置において、記録媒体の挿入直後に再生出力を可能になる。
【図面の簡単な説明】
【図１】本発明に係る映像装置のブロック図。
【図２】第１実施形態におけるハードディスクへの録画の第１例を説明する模式図。
【図３】第１実施形態におけるハードディスクへの録画の第２例を説明する模式図。
【図４】第１実施形態におけるハードディスクからの再生の第１例を説明する模式図。
【図５】第１実施形態におけるハードディスクからの再生の第２例を説明する模式図。
【図６】第２実施形態におけるハードディスクへの録画の第１例を説明する模式図。
【図７】第２実施形態におけるハードディスクへの録画の第２例を説明する模式図。
【図８】第２実施形態におけるハードディスクからの再生の第１例を説明する模式図。
【図９】第２実施形態におけるハードディスクからの再生の第２例を説明する模式図。
【符号の説明】
１０１  駆動部
１０２  信号読取書込部
１０３  信号処理回路
１０４  システムコントローラ（ＳＣＵ）
１０５  操作部
１０６  受信部
１０７  メモリ
１０８  ハードディスク
１１０  再生切換手段
【図１】
2004282562.tif 000003
【図２】
2004282562.tif 000004
【図３】
2004282562.tif 000005
【図４】
2004282562.tif 000006
【図５】
2004282562.tif 000007
【図６】
2004282562.tif 000008
【図７】
2004282562.tif 000009
【図８】
2004282562.tif 000010
【図９】
2004282562.tif 000011